(57)【要約】【課題】結婚する二人以外の閲覧者にとって魅力あるホームページであって、業者にとってもビジネス価値を向上させることができる結婚記念ホームページ開設サービスを提供する。【解決手段】インターネット２上に開設された、カップルの結婚に関わる情報を記載したホームページをユーザに閲覧させる結婚記念ホームページ開設システムである。このシステムはサーバシステム１により機能的に構成される。サーバシステムは、カップルのなれ初めをコミック風に紹介する情報を含めた前記結婚に関わる情報をカップル毎に一定期間、前記ホームページ上で公開する手段（１３Ａ（１３Ｂ，…））と、公開されているホームページにインターネット２を介してアクセスしてきた端末装置３Ａ（３Ｂ，…）のユーザに前記ホームページを閲覧させる手段（１３Ａ（１３Ｂ，…））とを備える。【選択図】　図１
2004062809.tif 000002
【特許請求の範囲】
【請求項１】
通信ネットワーク上に開設された、カップルの結婚に関わる情報を記載したホームページを、前記通信ネットワークを介してユーザに閲覧させる結婚記念ホームページ開設システムにおいて、
前記カップルのなれ初めをコミック風に紹介する情報を含めた前記結婚に関わる情報をカップル毎に一定期間、前記ホームページ上で公開する公開手段と、
この公開手段により公開されているホームページに前記通信ネットワークを介してアクセスしてきた端末装置のユーザに前記ホームページを閲覧させる閲覧対応手段とを備えたことを特徴とする結婚記念ホームページ開設システム。
【請求項２】
請求項１に記載の結婚記念ホームページ開設システムにおいて、
前記公開手段により公開される前記カップルのなれ初めを紹介する情報は、所定コマ数で表されたモノクロ又はカラーのコミックであることを特徴とする結婚記念ホームページ開設システム。
【請求項３】
請求項２に記載の結婚記念ホームページ開設システムにおいて、
前記公開手段により公開される前記結婚に関わる情報は、前記なれ初めを紹介するコミックのほかに、前記カップルのプロフィールのページ、前記カップルの挙式案内を含むページ、及び前記閲覧対応手段により閲覧したユーザに書込みをさせるページを含むことを特徴とする結婚記念ホームページ開設システム。
【請求項４】
請求項１〜３の何れか一項に記載の結婚記念ホームページ開設システムにおいて、
前記公開手段は、前記結婚に関わる情報をカップル毎に期間限定のアドレスにより公開する手段であることを特徴とする結婚記念ホームページ開設システム。
【請求項５】
請求項１〜４の何れか一項に記載の結婚記念ホームページ開設システムにおいて、
前記通信ネットワークはインターネットで構成され、
前記閲覧対応手段は、前記インターネットを介して前記公開手段にアクセスする、前記端末装置としてのパーソナルコンピュータ又は携帯電話に前記閲覧を許容する手段であることを特徴とする結婚記念ホームページ開設システム。
【請求項６】
請求項１〜５の何れか一項に記載の前記公開手段及び前記閲覧対応手段を機能的に実現するコンピュータ読取り可能なプログラム。
【発明の詳細な説明】
【０００１】
【発明の属する技術分野】
本発明は、インターネットなどの通信ネットワーク上に開設されたサーバシステムに拠る結婚記念ホームページ開設システムであって、結婚するカップルが婚礼の前後の一定期間、結婚に関わる様々な情報をホームページ上で親類や知人などの公開するシステムに関する。
【０００２】
【従来の技術】
近年の結婚式は、その時代背景とも相俟って、多様化が進んでいる。ホテルや結婚式場で行う結婚式においても、結婚するカップルが選択できる様々なサービスがオプションとして用意されている。このオプションには、挙式最中の様々な催しのほか、プロのカメラマンによる挙式当日の終日に及ぶビデオ撮影や写真撮影がある。
【０００３】
これらのオプションは挙式そのものに関わるサービスである。その一方で、このような状況下において、近年の情報化の時代を反映したサービスも行われている。すなわち、インターネットを用いて、二人の結婚を記念したホームページを知人や親類の人達に公開するというホームページ開設サービスである。このホームページには、二人のプロフィールや挙式情報が掲載される。
【０００４】
【発明が解決しようとする課題】
しかしながら、上述したホームページ開設サービスにおいては、二人のプロフィールや挙式時の様子を知ることはできるが、提供する内容がありきたりのものになってしまい、二人以外の閲覧者が親近感を持ち、且つ、閲覧者を盛り上がるためのパワー（魅力）に乏しかった。したがって、ホームページを運営する業者にとっても、またこのホームページをオプションの１つとして挙式サービスを売り込む業者にとっても、ビジネスとしてみた場合の魅力に欠けていた。
【０００５】
本発明は、このような従来の、結婚を記念したホームページ開設サービスが抱える現状に鑑みてなされたもので、結婚する二人以外の閲覧者にとって魅力あるホームページであって、業者にとってもビジネス価値を向上させることができる結婚記念ホームページ開設サービスを提供することを、その目的とする。
【０００６】
【課題を解決するための手段】
上記目的を達成するため、本発明に係る結婚記念ホームページ開設システムは、通信ネットワーク上に開設された、カップルの結婚に関わる情報を記載したホームページを、前記通信ネットワークを介してユーザに閲覧させるシステムである。この結婚記念ホームページ開設システムは、前記カップルのなれ初めをコミック風に紹介する情報を含めた前記結婚に関わる情報をカップル毎に一定期間、前記ホームページ上で公開する公開手段と、この公開手段により公開されているホームページに前記通信ネットワークを介してアクセスしてきた端末装置のユーザに前記ホームページを閲覧させる閲覧対応手段とを備えたことを特徴とする。
【０００７】
このように、このホームページで提供される結婚に関わる情報には、結婚するカップルのなれ初めをコミック風に紹介する情報が含まれている。したがって、単に、カップルのプロフィールや挙式時の様子のみを載せた従来のホームページに比べて、閲覧者にとって親近感が沸き、ホームページを扱う業者やブライダルサービスを担う業者にとっても、ビジネス価値が向上したものとなる。
【０００８】
好適には、前記公開手段により公開される前記カップルのなれ初めを紹介する情報は、所定コマ数で表されたモノクロ又はカラーのコミックである。また、前記公開手段により公開される前記結婚に関わる情報は、前記なれ初めを紹介するコミックのほかに、前記カップルのプロフィールのページ、前記カップルの挙式案内を含むページ、及び前記閲覧対応手段により閲覧したユーザに書込みをさせるページを含むことも好適な構成である。また、例えば、前記公開手段は、前記結婚に関わる情報をカップル毎に期間限定のアドレスにより公開するようにしてもよい。
【０００９】
さらに、好適には、前記通信ネットワークはインターネットで構成され、前記閲覧対応手段は、前記インターネットを介して前記公開手段にアクセスする、前記端末装置としてのパーソナルコンピュータ又は携帯電話に前記閲覧を許容する手段である。
【００１０】
さらに、本発明の別の態様によれば、前記公開手段及び前記閲覧対応手段を機能的に実現するコンピュータ読取り可能なプログラムも提供される。
【００１１】
【発明の実施の形態】
以下、本発明の結婚記念ホームページ開設システムに係る一実施形態を説明する。
【００１２】
（システムの概要）
最初に、この実施形態に係る結婚記念ホームページ開設システムの概要を説明する。
【００１３】
この結婚記念ホームページ開設システムは、通信ネットワークとしてのインターネットに接続されたサーバシステム（ウェブサーバ）により機能的に構成されるシステムで、結婚を記念したホームページ（結婚記念ホームページ）の開設サービスを、結婚するカップル（新郎、新婦）に提供する。サーバシステムは、これを管理運営する業者（以下、管理運営業者）の管理下に置かれる。このホームページが開設されると、このホームページのアドレスが、開設サービスを依頼したカップルに知らされる。このため、このアドレスを知人や親類などの所望の人達に知らせることにより、かかる人達は、インターネットを通じて、そのホームページを閲覧することができる。
【００１４】
このホームページ開設サービスは、通常、ホテルや結婚式場などブライダルサービスを提供する業者（以下、ブライダル業者と呼ぶ）が提供する挙式サービスの一環として申し込まれる。つまり、ブライダル業者がお客（挙式予定のカップル）に提供する有料のオプションサービスの１つに位置付けられて販売される。
【００１５】
このため、図１に模式的に示すように、お客からブライダル業者に、ホームページ開設サービスを伴った挙式の予約が申し込まれると、ブライダル業者は、ホームページ開設サービスの管理運営業者にホームページ開設サービスが依頼される。この依頼を受けた管理運営業者は、依頼したお客（カップル）から直接、必要な情報を収集し、結婚記念のホームページ開設サービスを実行する。後述するように、開設期間の終了後には、ホームページの内容がデータとしてお客（カップル）に納品される。
【００１６】
この納品が終了すると、管理運営業者はブライダル業者にその旨を報告するとともに、サービス料を請求して支払を受ける。ブライダル業者は、挙式終了時に客（カップル）からブライダルサービスに対する支払を受けている。つまり、かかるホームページ開設サービスに要する料金は、図１に示すように、ブライダル業者を通じて管理運営業者に支払われる。
【００１７】
なお、図１に示すビジネススキームにはブライダル業者が介在する方式で説明したが、管理運営業者がエンドユーザである挙式予定のカップルから直接、サービスの依頼を受けるようにしてもよい。
【００１８】
上述のホームページ開設サービスの手順を詳述する。
【００１９】
管理運営業者は、挙式予定のカップルからホームページ作成に必要な詳細情報や写真などの情報を郵送やメールなどの方法により受けるとともに、その内容を確認した上で、ホームページ作成に掛かる。なお、管理運営業者は、カップルが挙式案内状などに印刷できるように、最初に、ホームページアドレスをカップルに知らせる。このときに、カップルから借りた写真を返却する。カップルから受けた詳細情報に基づき作成されたホームページの内容は、パソコン、ファックス、郵送などの手段を通してカップルに確認してもらう。これにより、必要に応じて、ホームページの内容の修正や追加も受ける。このように準備ができると、挙式の１〜２ヶ月前に、先に案内しているアドレスにてホームページが公開される。
【００２０】
管理運営業者は、挙式後、ホームページ上で公開したい写真（挙式の模様など）とコメントの提供をカップルから受ける。これを受けた管理運営業者は、写真をデータ加工し、コメントを入れたページを追加作成し、同様に公開に付する。このホームページは挙式後も一定期間（２〜３ヶ月）の間、公開される。公開期間が終了すると、管理運営業者はホームページの最終データをＣＤ−ＲＯＭに記録し、タイトル加工したラベルを貼り付けた専用ケースに収めて、結婚記念として、カップルに納品する。このＣＤ−ＲＯＭの納品時に、挙式時の写真やコメントを返却する。
【００２１】
公開されるホームページには、本実施形態にあっては、図２に示すように、トップページ、プロフィール紹介ページ、なれ初めコミック、案内（挙式前）ページ、写真紹介（挙式後）ページ、及び掲示板が設けられる。プロフィール紹介ページは、結婚するカップルそれぞれのプロフィールを紹介するページであり、案内ページは挙式会場や２次会会場などを案内するための、挙式当日まで公開されるページである。また、なれ初めコミックのページは、かかるカップルの出逢いをコミック風に紹介するページである。掲示板は、このホームページを閲覧した知人や親類の人達が祝福のメッセージなどを書き込めるページである。なお、この掲示板のページは、運営管理業者又はカップル本人達がその内容を管理できるようになっている。また、この掲示板のページには、ブライダル業者が開設するホームページリンクが貼り付けられる。
【００２２】
このうち、とくに、なれ初めページは本発明に係る結婚記念ホームページ開設システムの特徴を成す。具体的には、結婚予定のカップルから提供を受けたなれ初めの内容を、アニメータがコミック風にモノクロイラストに仕上げる。このイラストは、例えば全６ページ、２８コマで構成されるが、必ずしもこれに限定されるものではない。ページ数やコマ数は任意であり、またカラーのイラストに仕上るようにしてもよい。コマ数が多いほど、ストーリ性を持たせることができ、それだけ閲覧者の興味を高めることができる。
【００２３】
作成されたモノクロイラストは、フラッシュ（ＦＬＡＳＨ：米国Ｍａｃｒｏｍｅｄｉａ社が販売するソフトウェア）で再生可能なフラッシュ（ＦＬＡＳＨ）データに変換される。このため、なれ初めページは、通常のパーソナルコンピュータにプラグインソフトとしてインストールされているフラッシュを用いて再生される。
【００２４】
（システムの具体的な構成）
次いで、本実施形態に係る結婚記念ホームページ開設システムを具体的に説明する。
【００２５】
図３に、この結婚記念ホームページ開設システムのハードウエアシステムのを示す。
【００２６】
この提供システムは、サーバシステム１により構成される。このサーバシステム１は、通信ネットワークとしてのインターネット２を介して、クライアントとしての利用者のパーソナルコンピュータ３Ａ，３Ｂ，…（以下、端末装置と呼ぶ）通信可能に接続されている。
【００２７】
サーバシステム１は、結婚記念ホームページの開設サービスを行う管理運営業者により管理・運営される。クライアント端末には、ブライダル業者の端末装置も含まれ、管理運営業者とブライダル業者との通信が可能になっている。
【００２８】
このサーバシステム１は、結婚記念ホームページ提供サービスを担う。ハードウエア的には、サーバシステム１は、インターネットに接続されたルータ１１を備え、これに順に接続した負荷分散装置１２、複数台のウェブサーバから成るウェブサーバアレイ（以下、ウェブサーバと呼ぶ）１３、及びデータベース１４を備える。なお、負荷分散装置を搭載せずに、１台のウェブサーバで構成することもできる。
【００２９】
ウェブサーバ１３の各サーバ１３Ａ（１３Ｂ，…）は、他のサーバと協働して、利用者の作成したホームページを一定期間だけ公開する処理（公開処理）、利用者の閲覧要求に対応する処理（閲覧対応処理）、及び、ホームページの管理処理を実行する。
【００３０】
このため、各サーバ１３Ａ（１３Ｂ，…）はかかる処理を実行するためのアプリケーションソフトを予め記憶させた記録媒体としてのメモリＭを備えている。このアプリケーションソフトは、サーバ１３Ａ，１３Ｂ，…のオペレーティングシステム（ＯＳ）上で動作する。この動作によって、機能的には、図４に示すように、公開手段Ｐ１、閲覧対応手段Ｐ２、及び管理手段Ｐ３を構成している。
【００３１】
このうち、公開手段Ｐ１は本発明に係る公開手段に対応し、カップルのなれ初めをコミック風に紹介する情報を含めた前記結婚に関わる情報をカップル毎に一定期間、ホームページ上で公開する機能を有する。また、閲覧対応手段Ｐ２は本発明に係る閲覧対応手段に対応し、公開手段Ｐ１により公開されているホームページにインターネット２を介してアクセスしてきた端末装置のユーザに前記ホームページを閲覧させる機能を有する。これらの機能の詳細は図５及び６にて例示される。さらに、管理手段Ｐ３は、公開期間などの各種のホームページの管理を担う。
【００３２】
データベース１４は、複数のデータベースユニット１４Ａ、１４Ｂを備え、互いにバックアップしながら、ウェブサーバ１３からの指令の元に、ホームページの作成及びその閲覧に伴うデータ格納・更新を行う。
【００３３】
通信ネットワークとしてのインターネット２は、サーバシステム１と不特定多数の利用者の端末装置３Ａ，３Ｂ、…との間の双方向の通信を所定の通信プロトコル（例えばＴＣＰ／ＩＰ）の元で受け持つようになっている。
【００３４】
一方、ユーザの端末装置３Ａ，３Ｂ，…は、それぞれ、汎用のパーソナルコンピュータから成り、例えば公衆回線や専用回線を経て図示しないプロバイダからネットワーク２に接続されている。勿論、端末装置３Ａ（３Ｂ，…）はイントラネットに接続されていてもよい。端末装置３Ａ（３Ｂ，…）には、ウェブサイトを閲覧するためのブラウザ及びこのブラウザにプラグインされたなれ初めコミック閲覧ソフトがインストールされている。このブラウザを起動させることで、ユーザは端末装置３Ａ（３Ｂ，…）を介してインターネット２上の各種のウェブサイトにアクセスすることができる。これにより、ユーザとサーバシステム１の間は、所定の通信プロトコル（例えばＴＣＰ／ＩＰ）の元で双方向の通信を行うサーバ・アンド・クライアントシステムとして動作する。
【００３５】
次に、図５〜１６を参照して、サーバ１３Ａ（１３Ｂ，…）が行う閲覧対応処理を中心に、本実施形態に係る結婚記念ホームページ開設システムの全体動作を説明する。
【００３６】
サーバ１３Ａ（１３Ｂ，…）の公開手段Ｐ１により現在公開されている各カップルのホームページアドレスを知らされたユーザは、端末装置３Ａ（３Ｂ，…）のブラウザを起動させて、かかるアドレスを入力する。
【００３７】
サーバ１３Ａ（１３Ｂ，…）は、サーバシステム１にアクセスがあるか否かを判断する（ステップＳ１）。このアクセスを受けたサーバ１３Ａ（１３Ｂ，…）は、データベース１４からそのアクセスに該当するホームページのＨＴＭＬデータをそのワークエリアに読み出す（ステップＳ２）。次いで、サーバ１３Ａ（１３Ｂ，…）は、該当するホームページのトップページを、インターネット２を介してアクセスのあった端末装置３Ａ（３Ｂ，…）に伝送させて当該端末装置に表示させる（ステップＳ３）。
【００３８】
このトップページは例えば図７に示すように表示され、その下部には、「トップページ」ボタンＢ１、「プロフィール紹介」ボタンＢ２、「なれ初めコミック」ボタンＢ３、「案内（挙式前）」ボタンＢ４、「写真紹介（挙式後）」ボタンＢ５、及び「掲示板」ボタンＢ６が貼り付けられている。このボタン配列は、後述するその他のページにおいても同じであり、これらのボタンをクリックすることで他のページを閲覧できる。
【００３９】
サーバ１３Ａ（１３Ｂ，…）は、図５に示すように、次の処理がプロフィール紹介か否か、なれ初め表示か否か、案内（挙式前）表示か否か、写真（挙式後）紹介か否か、掲示板の表示か否か否か、又は、トップページの表示か否かを順に判断しながら待機している（ステップＳ４〜Ｓ９）。
【００４０】
そこで、ユーザがトップページの「プロフィール紹介」ボタンＢ２をクリックすると、ステップＳ４におけるプロフィール紹介か否かの判断結果がＹＥＳ（プロフィール紹介）となる。これにより、サーバ１３Ａ（１３Ｂ，…）はホームページのプロフィール紹介ページのＨＴＭＬデータを、インターネット２を介してアクセスのあった端末装置３Ａ（３Ｂ，…）に伝送して当該端末装置に表示させる（ステップＳ１０）。このプロフィール紹介ページは例えば図８に示すように表示される。
【００４１】
また、ユーザがトップページの「なれ初めコミック」ボタンＢ３をクリックすると、ステップＳ５における「なれ初めコミック表示」か否かの判断結果がＹＥＳ（なれ初めコミック表示）となる。これにより、サーバ１３Ａ（１３Ｂ，…）はホームページのなれ初めコミックのフロントページのＨＴＭＬデータを、インターネット２を介してアクセスのあった端末装置３Ａ（３Ｂ，…）に伝送して当該端末装置に表示させる（ステップＳ１１：図６に示すステップＳ１０１の処理）。
【００４２】
この「なれ初めコミック表示」の処理を、図６〜１３を参照して説明する。
【００４３】
このなれ初めコミックのフロントページの表示例を図９に示す。このフロントページには、「スタート」ボタンＢ１１が貼り付けられている。このため、「スタート」ボタンＢ１１はなれ初めコミックを表示させるためのコミック閲覧ソフト「フラッシュ」を自動的に起動させるボタンである。
【００４４】
上記「スタート」ボタンＢ１１をクリックすると、サーバ１３Ａ（１３Ｂ，…）は、これに応答する。すなわち、サーバ１３Ａ（１３Ｂ，…）はなれ初めコミックのスタート画面のＨＴＭＬデータを、インターネット２を介してアクセスのあった端末装置３Ａ（３Ｂ，…）に伝送して当該端末装置に表示させる（図６：ステップＳ１０２、Ｓ１０３）。これにより、端末装置３Ａ（３Ｂ，…）にはスタート画面が図１０に示すように表示される。このスタート画面には別の「スタート」ボタンＢ１５が表示される。
【００４５】
そこで、ユーザがこの別の「スタート」ボタンＢ１５をクリックすると、サーバ１３Ａ（１３Ｂ，…）は、なれ初めコミックの第１コマ目のフラッシュ（ＦＬＡＳＨ）データを、インターネット２を介してアクセスのあった端末装置３Ａ（３Ｂ，…）に伝送して当該端末装置に表示させる（ステップＳ１０４、Ｓ１０５）。これにより、図１１に示すように、モノクロの第１ページ目がフラッシュ画面で表示される。
【００４６】
この画面の下部には、「Ｂａｃｋ」ボタンＢ１２、「Ｃｌｏｓｅ」ボタンＢ１３、及び「Ｎｅｘｔ」ボタンＢ１４が貼り付けられている。この「Ｂａｃｋ」ボタンＢ１２、「Ｃｌｏｓｅ」ボタンＢ１３、及び「Ｎｅｘｔ」ボタンＢ１４は、後述するように、なれ初めコミックをフラッシュ画面により表示させている最中に、１コマだけ画面を戻す、なれ初めコミックの表示を中止する、及び１コマだけ画面を進めるという操作にそれぞれ使用される。なお、この「Ｂａｃｋ」ボタンＢ１２、「Ｃｌｏｓｅ」ボタンＢ１３、及び「Ｎｅｘｔ」ボタンＢ１４は全てのコミックのページに貼りつけられている。
【００４７】
そこで、「Ｎｅｘｔ」ボタンＢ１４をクリックすると、サーバ１３Ａ（１３Ｂ，…）は、なれ初めコミックの第２コマ目のフラッシュデータを、インターネット２を介してアクセスのあった端末装置３Ａ（３Ｂ，…）に伝送して当該端末装置に表示させる（ステップＳ１０６、Ｓ１０７）。これにより、図１２に示すように、モノクロの第２ページ目がフラッシュ画面で表示される。
【００４８】
さらに、「Ｎｅｘｔ」ボタンＢ１４をクリックすると、サーバ１３Ａ（１３Ｂ，…）は、なれ初めコミックの第３コマ目のフラッシュデータを、インターネット２を介して端末装置３Ａ（３Ｂ，…）に伝送して当該端末装置に表示させる（ステップＳ１０８、Ｓ１０９）。これにより、図１３に示すように、モノクロの第３ページ目がフラッシュ画面で表示される。
【００４９】
以下、同様に次々と画面を進めて表示できる。なれ初めを表す各コマには、全体のストーリ展開を担う各場面のモノクロの絵と台詞が文字として表示される。この表示は、所定コマ数ずつ、例えば５コマずつのフラッシュによる表示が行われた後、次ページの最初のコマからフラッシュにより表示開始される。
【００５０】
そして、なれ初めコミックの最終コマの表示後に「Ｎｅｘｔ」ボタンＢ１４をクリックすると、サーバ１３Ａ（１３Ｂ，…）は、端末装置３Ａ（３Ｂ，…）におけるなれ初めコミックを再度、スタート画面に表示を戻す。これにより、ユーザはなれ初めコミックを繰返し読むことができる（ステップＳ１１０、Ｓ１１１）。
【００５１】
なれ初めコミックの表示中に、「Ｎｅｘｔ」ボタンＢ１４がクリックされずに、「Ｂａｃｋ」ボタンＢ１２がクリックされると、画面が１コマずつ前に戻される（ステップＳ１１２、Ｓ１１４、Ｓ１１６参照）。また、「Ｃｌｏｓｅ」ボタンＢ１３がクリックされると、表示画面はなれ初めコミックのフロントページに戻される（ステップＳ１１３、Ｓ１１５、Ｓ１１７）。
【００５２】
さらに、前述したトップページから実行される残りの処理、すなわち、「案内（挙式前）」、「写真紹介（挙式後）」、及び「掲示板」それぞれの表示を図５に示す処理に戻って説明する。
【００５３】
また、ユーザがトップページの「案内（挙式前）」ボタンＢ４をクリックすると、ステップＳ６における案内表示か否かの判断結果がＹＥＳ（案内表示）となる。これにより、サーバ１３Ａ（１３Ｂ，…）はホームページの案内表示ページのＨＴＭＬデータを、インターネット２を介してアクセスのあった端末装置３Ａ（３Ｂ，…）に伝送して当該端末装置に表示させる（ステップＳ１２）。この案内ページの表示例を図１４に示す。この案内ページには、挙式の日時及び場所、並びに、挙式後の２次会の時間及び場所などが記載される。なお、サーバ１３Ａ（１３Ｂ，…）の管理手段Ｐ３による日限管理を通して、この案内ページは挙式翌日から自動的に削除される。
【００５４】
さらに、ユーザがトップページの「写真紹介（挙式後）」ボタンＢ５をクリックすると、ステップＳ７における写真紹介か否かの判断結果がＹＥＳ（写真紹介）となる。これにより、サーバ１３Ａ（１３Ｂ，…）はホームページに作成されている写真紹介のページのＨＴＭＬデータを、インターネット２を介して端末装置３Ａ（３Ｂ，…）に表示させる（ステップＳ１３）。この写真紹介ページの表示例を図１５に示す。
【００５５】
この写真紹介ページは、挙式後に挙式の写真やコメントなどの提供を当人達より受けて作成される。このため、この写真提供ページの閲覧は、挙式後に一定期間が経過した後、可能になる。
【００５６】
さらに、ユーザがトップページの「掲示板」ボタンＢ６をクリックすると、ステップＳ８における掲示板の表示か否かの判断結果がＹＥＳ（掲示板の表示）となる。これにより、サーバ１３Ａ（１３Ｂ，…）はホームページに作成されている掲示板のページのＨＴＭＬデータを、インターネット２を介して端末装置３Ａ（３Ｂ，…）に表示させる（ステップＳ１４）。この写真紹介ページの表示例を図１６に示す。
【００５７】
この掲示板は、この結婚記念ホームページを閲覧した人達がメッセージを記入できるようになっており、それを更に別の閲覧者も閲覧できる。
【００５８】
なお、サーバ１３Ａ（１３Ｂ，…）は、トップページにおいて「トップページ」ボタンＢ１がクリックされると、端末装置３Ａ（３Ｂ，…）にトップページを再度、表示し、一方、そのようなクリックが無いときには、ステップＳ４に戻って、別のボタンが入力されたか否かを判定しながら待機する。
【００５９】
上述した図５及び図６に示すサーバ１３Ａ（１３Ｂ，…）の処理において、ステップＳ１〜Ｓ３が本発明の構成要素の公開手段の要部を成し、ステップＳ４〜Ｓ１４、Ｓ１０１〜Ｓ１１７が本発明の構成要素の閲覧対応手段の要部を成している。
【００６０】
以上のように、本実施形態に係る結婚記念ホームページ開設システムによれば、従来のように、ありきたりのプロフィールや挙式情報を提供するホームページとは異なり、専門のイラストレータが実際に収集した情報に基づいて書き起こしたなれ初めコミックを閲覧することができる。勿論、カップルのプロフィールや挙式情報も閲覧できる。
【００６１】
結婚するカップルからホームページのアドレスを知らされていた知人などが挙式前になれ初めコミックを閲覧することで、それだけ親近感が湧き、挙式時の雰囲気やムードの盛り上げに役立つ。それは結果として、挙式自体の参加者への満足感の向上にも寄与し、強いては、ブライダル業者の評判にも繋がる。つまり、結婚を記念した単なるホームページの開設サービスから脱皮し、結婚する二人の満足度を高めつつ、かつ、ビジネスからみた付加価値を向上させたホームページ開設サービスともなる。
【００６２】
これは、ブライダル業者にとって、他の競争相手のサービスから差別化した特色あるブライダルサービスを提供することができ、ブライダルサービスの獲得競争に有力なツールとなる。
【００６３】
また、かかる結婚記念ホームページの依頼が増えることにより、その管理運営業者にとっても、ホームページ作成及び管理運営の市場規模を一層拡大でき、かかる産業の発展に寄与することが可能になる。
【００６４】
なお、本発明は上述した実施形態の構成に限定されるものではなく、特許請求の範囲に要旨に基づき、さらに種々の形態に変形可能なことは勿論である。
【００６５】
上述した実施形態にあっては、結婚記念ホームページを閲覧する端末装置としてパーソナルコンピュータ（ＰＣ）を用いる構成について説明した。しかしながら、端末装置はパーソナルコンピュータに限定されるものではなく、例えば、携帯電話、通信機能付きの各種のモバイル端末、通信機能付きの家電装置などであってもよい。
【００６６】
また、本発明に適用するサーバシステムは、上述した実施形態に記載のものに限定されることなく、例えば、より小規模な構成とする場合には、通信用のインターフェースと１台のサーバ用コンピュータとで対応することもできる。
【００６７】
また、この変形例として、携帯電話などのメモリ容量の少ない端末装置を用いる場合の構成を提供できる。すなわち、ホームページ閲覧時に表示するページは、例えば似顔絵イラストのトップページ、会場案内、及び挙式後の写真紹介から成るデータ量を減らした構成にするとよい。この場合、ホームページデータの作成は、前述したパーソナルコンピュータ用のホームページデータの一部を使用し、アドレスもパーソナルコンピュータ用の公開アドレスの後ろに“／ｉ”を追加して提供すればよい。
【００６８】
上述した実施形態にあっては、通信ネットワークがインターネットである場合について説明したが、公衆回線、専用回線などを使用した通信ネットワーク、或いは、ＢＳデジタル放送における利用者からの発信機能を利用した通信ネットワークを用いるようにしてもよい。
【００６９】
さらに、上述した実施形態で説明した公開処理及び閲覧対応処理を様々な別の態様で実施することもできる。
【００７０】
（トップページの別の例）
例えば、閲覧時に表示されるトップページは、予め数種類、作成しておいて、ユーザ（ホームページ開設依頼者）が選択できるようにしてもよい。例えば、季節毎にウエルカムボード風、テント風、パーティ風などを予め作成しておくことができる。また、トップページを開いたときに流れる曲を数パターン、予め作成しておいて、ユーザ（ホームページ開設依頼者）が選択できるように構成してもよい。さらに、場合によっては、トップページをユーザ（ホームページ開設依頼者）のオリジナルのものを採用するように構成してもよい。さらに、アクセスカウンタなどの追加オプションを設定してもよいし、また、希望に応じて、プロバイダのカテゴリ登録を行ってもよい。
【００７１】
（案内（挙式前）ページの別の例）
ユーザ（ホームページ開設依頼者）の希望により、２次会などの会場の詳細案内図や交通機関の時刻表を作成してもよい。また、２次会などの会場（店）のホームページへのリンクボタンを貼り付けてもよい。
【００７２】
（写真紹介（挙式後）ページの別の例）
写真及びコメントのほかに、音声によるコメントを紹介するように構成してもよい。また、写真の代わりに、動画で紹介するように構成してもよい。写真に写り込んでいる実際の挙式時の背景を加工し、例えば宇宙、ハワイ、エジプトなどの風景に変えてもよいし、また衣装を着ぐるみに変更するなどしてもよい。
【００７３】
（なれ初めコミックの別の例）
なれ初めコミックをフラッシュ画面で表示するときの、各コマの表示方法を常に一方向から表示させるのでは無く、上下左右の違う方向から適宜に表示させるように変更してもよい。また、なれ初めコミックにおける台詞を英語で記載したり、音声で発生させたり、効果音を追加するなどの形態で実施してもよい。勿論、コミックをカラーで表示することもできるし、動画で再生するように構成してもよい。また、紙芝居やスライド形式のコミックとし、絵の下にコメントを記載するようにしてもよい。
【００７４】
（掲示板の別の例）
不適当な言葉が書き込まれた場合の管理を、管理運営業者又はユーザ（ホームページ開設依頼者）が日々、確認して削除できることが望ましい。ユーザ（ホームページ開設依頼者）が最初にＮＧとする言葉を登録できる自動削除機能を有するソフトウェアを作成して、インストールしておくこともできる。これにより、閲覧者が、登録されている言葉を入力した場合、自動的に掲示板に書き込め不可にすることができる。さらに、この掲示板の機能は、必要に応じて削除し、残りの「プロフィール紹介」、「なれ初めコミック」、「案内（挙式前）」、及び「写真紹介（挙式後）」のページのみでホームページを構成するようにしてもよい。
【００７５】
【発明の効果】
以上説明したように、本発明によれば、ホームページで提供される結婚に関わる情報には、結婚するカップルのなれ初めをコミック風に紹介する情報が含まれているので、単に、カップルのプロフィールや挙式時の様子のみを載せた従来のホームページに比べて、閲覧者にとって親近感が沸き、ホームページを扱う業者やブライダルサービスを担う業者にとっても、ビジネス価値が向上したものとなる。
【図面の簡単な説明】
【図１】本発明の実施形態に係る結婚記念ホームページの提供に関わるプレーヤ間の関わりを説明する図。
【図２】本発明の実施形態に係る結婚記念ホームページ開設システムで提供されるホームページの構造を説明する図。
【図３】実施形態に係る結婚記念ホームページ開設システムのハードウェア構成を説明するブロック図。
【図４】サーバが実行する機能を示すブロック図。
【図５】実施形態に係る結婚記念ホームページ開設システムの各サーバにより実行される、端末装置からインターネットを介してアクセスされる結婚記念ホームページの閲覧に対応する処理を示す概略フローチャート。
【図６】図５に示す閲覧対応処理のうち、なれ初めコミックの表示を別途説明するサブルーチンの概略フローチャート。
【図７】閲覧対応処理により表示される結婚記念ホームページのトップページの一例を示す画面図。
【図８】閲覧対応処理により表示される結婚記念ホームページのプロフィール紹介ページの一例を示す画面図。
【図９】閲覧対応処理により表示されるなれ初めコミックのフロントページの一例を示す画面図。
【図１０】なれ初めコミックのスタート画面の一例を示す図。
【図１１】なれ初めコミックの第１ページを示す画面図。
【図１２】なれ初めコミックの第２ページを示す画面図。
【図１３】なれ初めコミックの第３ページを示す画面図。
【図１４】閲覧対応処理により表示される案内ページ（挙式前）の一例を示す画面図。
【図１５】閲覧対応処理により表示される写真紹介ページ（挙式後）の一例を示す画面図。
【図１６】閲覧対応処理により表示される掲示板の一例を示す画面図。
【符号の説明】
１　　サーバシステム（結婚記念ホームページ開設システム）
２　　インターネット（通信ネットワーク）
３Ａ，３Ｂ，…　端末装置
１３　ウェブサーバ（公開手段、閲覧対応手段）
１４　データベース
【図１】
2004062809.tif 000003
【図２】
2004062809.tif 000004
【図３】
2004062809.tif 000005
【図４】
2004062809.tif 000006
【図５】
2004062809.tif 000007
【図６】
2004062809.tif 000008
【図７】
2004062809.tif 000009
【図８】
2004062809.tif 000010
【図９】
2004062809.tif 000011
【図１０】
2004062809.tif 000012
【図１１】
2004062809.tif 000013
【図１２】
2004062809.tif 000014
【図１３】
2004062809.tif 000015
【図１４】
2004062809.tif 000016
【図１５】
2004062809.tif 000017
【図１６】
2004062809.tif 000018